Podtech/llm-jp-corpus-v4-ja_patent huggingface dataset:
【手続補正書】
【提出日】平成19年5月10日(2007.5.10)
【手続補正１】
【補正対象書類名】明細書
【補正対象項目名】００６２
【補正方法】変更
【補正の内容】
【００６２】
（Ｂ）二色感熱発色材料積層用支持体の作製
下記の配合よりなる塗工液を、坪量４０ｇ／ｍ2の上質紙に固形分塗抹量として９ｇ／ｍ2になるように塗工、乾燥して、二色感熱発色材料積層用支持体を作製した。
焼成カオリン                                                    １００部
５０％スチレン／ブタジエン共重合体ラテックス水分散液              ２４部
水                                                              ２００部
【手続補正２】
【補正対象書類名】明細書
【補正対象項目名】００８４
【補正方法】変更
【補正の内容】
【００８４】
実施例１６
実施例１２において、顕色剤であるサリチル酸を同量の上記化６記載の化合物に変更した以外は、実施例１２と同様にして二色感熱発色材料を作製した。
【手続補正３】
【補正対象書類名】明細書
【補正対象項目名】００９３
【補正方法】変更
【補正の内容】
【００９３】
試験１（青色発色試験）
大倉電機製ファクシミリ試験機ＴＨ−ＰＭＤを用いて印字テストを行った。ドット密度８ドット／ｍｍ、ヘッド抵抗１８５Ωのサーマルヘッドを使用し、ヘッド電圧１２Ｖ、パルス幅０．８、及び１．０ミリ秒で通電して印字したところ、本発明の実施例１１〜２０、及び比較例３〜５のいずれもが鮮明な青発色画像を与えた。
【手続補正書】
【提出日】平成18年12月1日(2006.12.1)
【手続補正１】
【補正対象書類名】明細書
【補正対象項目名】００３４
【補正方法】変更
【補正の内容】
【００３４】
次に、図２−（ａ）,図２−（ｂ）に示したフローチャートに従い、本実施形態におけるネットワーク制御システムの制御の流れを説明する。サーバ（ネットワーク制御装置）は起動後、予め定められたインターバルに基づいてSNMP制御モジュール部より、以下のMIBオブジェクトに対してSNMP Getリクエストをブロードキャストすることで、ネットワーク上に存在するプリンタ情報を取得する(step1)。step1は、ネットワーク制御装置の検出手段の一処理例に対応する。
PrinterMakeAndModel : プリンタベンダ・製品名称
PrinterName: プリンタ名
PrinterLocation: プリンタ設置場所
IPAddress: プリンタ IP アドレス
SupportedPDL: サポートするページ記述言語
SupportedPrintProtocol: サポートするプリントプロトコル
【手続補正２】
【補正対象書類名】明細書
【補正対象項目名】００３５
【補正方法】変更
【補正の内容】
【００３５】
前述の機能モジュールを実装したネットワーク対応プリンタ（サービス提供装置）は、該リクエストに対し、各オブジェクトに該当する情報を生成した後に、SNMPレスポンスとしてサービスに対し、ユニキャストで応答を送信する(step2)。各ネットワーク対応プリンタからレスポンスを受け取ったサーバは、各レスポンス内容を記録装置に既に登録済みのデータベース内容と比較し、新規に検出されたプリンタに関しては、該プリンタからの取得情報をデータベースに追加更新する。また、既にデータベースに登録ずみのプリンタでありながら、該プリンタからレスポンスが得られなかった場合、データベースより該プリンタ情報を削除する(step3)。
【手続補正３】
【補正対象書類名】明細書
【補正対象項目名】００３６
【補正方法】変更
【補正の内容】
【００３６】
サーバは、プリンタ情報を更新した後、HTML生成モジュールにおいて、レスポンスのあった全ネットワーク対応プリンタに関して、
プリンタベンダ名・製品名称
プリンタ設置場所
をWebブラウザ上でリスト表示し、IPアドレスを非表示情報として含むHTMLページと、印字対象とするドキュメントファイルを選択するGUIを備えたHTMLページ、および該ページにおいて選択されたドキュメントをHTTP POSTリクエストのエンティティボディとしてサーバのPDLコンバータ処理部のURLに対し送信するスクリプト、送信実行を起動するための送信ボタンを記述したHTMLドキュメントを生成する(step4)。step4は、ネットワーク制御装置の生成手段の一処理例に対応する。
【手続補正４】
【補正対象書類名】明細書
【補正対象項目名】００３７
【補正方法】変更
【補正の内容】
【００３７】
このドキュメント生成までのプロセスは、予め定められたインターバルに基づき繰り返し実行され、クライアント（情報処理装置）に対し、印字実行可能なプリンタ情報の提供が可能となる。
【手続補正５】
【補正対象書類名】明細書
【補正対象項目名】００３８
【補正方法】変更
【補正の内容】
【００３８】
ネットワーク接続されたクライアントにおいて汎用Webブラウザを起動し(step5)、該ブラウザからクライアント上の記録装置（記録手段）に予め記録されたサーバ検索HTMLドキュメントを開くと(step6)、該ドキュメントに記載されたスクリプト（プログラム）が起動し、サーバのURLを検索するためのパケットを送信する(step7)。検索に使用されるプロトコルはUniversal Plug and Play Device Architecture 1.0にて規定されるSimple Service Discovery Protocolを使用しており、マルチキャストアドレス239.255.255.250 ポート番号1900に対し図３に示すフォーマットのHTTPパケットを発行する。
【手続補正６】
【補正対象書類名】明細書
【補正対象項目名】００４０
【補正方法】変更
【補正の内容】
【００４０】
レスポンスにおける Locationヘッダには前述のプロセスにおいてサーバが生成したHTMLドキュメントの取得先URLが記録される。該レスポンスを受信したクライアント上のスクリプトは、レスポンスパケットを解析し、ヘッダ部に記述されらたURLに対しHTTP GETリクエストを発行し(step9)、該HTMLドキュメントを取得し(step10)、取得終了後、該HTMLドキュメントはWebブラウザ上に表示される(step11)。step9は、情報処理装置の要求手段の一処理例に対応する。step10は、情報処理装置の受信手段の一処理例に対応する（ネットワーク制御装置の送信手段の一処理例に対応する）。
【手続補正７】
【補正対象書類名】明細書
【補正対象項目名】００４１
【補正方法】変更
【補正の内容】
【００４１】
ユーザはクライアントのWebブラウザにより表示された、利用可能なプリンタリストのベンダ名、製品名称、プリンタ名、およびプリンタ設置位置情報から希望するプリンタを選択する(step12)と、予めリンク設定されたプリント対象とするドキュメントを指定するGUIが記述されたページが開き、該ページにおいてドキュメントファイルの指定を行う(step13)。step12,13は、情報処理装置のサービス指定手段の一処理例に対応する。
【手続補正８】
【補正対象書類名】明細書
【補正対象項目名】００４２
【補正方法】変更
【補正の内容】
【００４２】
ドキュメントファイルの指定が完了した後、同一ページ上に記述された送信ボタンを押下することにより、スクリプトはサーバに対しHTTP POSTリクエストを発行(step14)。該HTTPリクエストのエンティティボディとして、Simple Object Access Protocolを使用し、ドキュメントデータ送信時に、ユーザが選択したプリンタ情報を通知する。その際の書式は図５における Envelopeタグ内に記述され、SelectedPrinterリクエストの引数としてPrinterMakeAndModel、PrinterName、IPAddress（属性情報）が通知される。step14は、情報処理装置の送信手段の一処理例に対応する。
【手続補正９】
【補正対象書類名】明細書
【補正対象項目名】００４５
【補正方法】変更
【補正の内容】
【００４５】
全ての要求がサーバが管理する情報と一致する場合、サーバは受信ドキュメントを指定されたプリンタがサポートするページ記述言語データに変換する(step17)。変換プロセスが完了した後、サーバは変換したページ記述言語データをクライアントが指定したプリンタPrinterNameのIPアドレスに対し、予めデータベースに登録された該プリンタがサポートするプリントプロトコルを用いてページ記述言語データを送出する(step18)。プリンタは受信したページ記述言語データを印字処理を実行する(step19)。step17, step18は、ネットワーク制御装置のサービス制御手段に対応する。
【手続補正書】
【提出日】平成19年5月30日(2007.5.30)
【手続補正１】
【補正対象書類名】明細書
【補正対象項目名】特許請求の範囲
【補正方法】変更
【補正の内容】
【特許請求の範囲】
【請求項１】  空気供給マニホールド（１）内に設置された燃焼チャンバー（３，４）を含み、該燃焼チャンバーは、燃料噴射器（１０）を備えたバーナーヘッド（２）と、バーナーヘッドと燃焼チャンバーの上流端（９）との間に画定される、マニホールドから燃焼チャンバー内への一次空気入口（７）と、一次空気入口の下流に設けられた、マニホールドから燃焼チャンバー内への二次空気入口（６）と、一次空気入口及び二次空気入口を通しての空気流を変更するための空気流変更手段を有して成るガスタービン用燃焼器において、
前記燃焼チャンバーは、互いに入れ子式に移動自在の第１及び第２部分（３，４）から成り、前記マニホールドから燃焼チャンバー内への前記二次空気入口（６）は、該燃焼チャンバーの第１部分と第２部分の間に画定され、該燃焼チャンバーの第１部分と第２部分とは、前記一次空気入口を通しての空気流を増大させて二次空気入口を通しての空気流を減少させるために第１軸方向（Ｂ）に相対的に移動自在であり、該一次空気入口を通しての空気流を減少させて前記二次空気入口を通しての空気流を増大させるために第１軸方向とは反対の第２軸方向（Ｃ）に相対的に移動自在であることを特徴とするガスタービン用燃焼器。
【請求項２】  前記一次空気入口を通る空気流が最大限とされているときは、前記二次空気入口は完全に閉鎖され、前記一次空気入口を通る空気流が最少限とされているときは、該二次空気入口が全開にされるように構成されていることを特徴とする請求項１に記載のガスタービン用燃焼器。
【請求項３】  前記二次空気入口は、前記燃焼チャンバーの第１部分又は第２部分の壁を貫通して形成されていることを特徴とする請求項１又は２に記載のガスタービン用燃焼器。
【請求項４】  前記二次空気入口は、前記燃焼チャンバーの第１部分と第２部分の両方の壁に形成された孔によって構成されており、該第１部分の壁に形成された孔と第２部分の壁に形成された孔とが、該燃焼チャンバーの該第１部分と第２部分の相対的入れ子移動により互いに整合したり、整合状態から離脱されたりすることを特徴とする請求項１〜３のいずれか１項に記載のガスタービン用燃焼器。
【請求項５】  前記燃焼チャンバーの第１部分と第２部分とは、相対的に移動自在であり、該燃焼器の固定構造体に対して固定されていることを特徴とする請求項１〜４のいずれか１項に記載のガスタービン用燃焼器。
【請求項６】  前記一次空気入口が前記燃焼チャンバーの前記第１部分の上流端と前記バーナーヘッドとの間に画定されるように該第１部分が上流側へ延長していることを特徴とする請求項５に記載のガスタービン用燃焼器。
【請求項７】  前記燃焼チャンバーの前記第１部分は、前記第２部分の内側に沿って摺動自在とされていることを特徴とする請求項５又は６に記載のガスタービン用燃焼器。
【請求項８】  前記燃焼チャンバーの前記第１部分は、前記第２部分の外側を覆って摺動自在とされていることを特徴とする請求項５又は６に記載のガスタービン用燃焼器。
【請求項９】  請求項１〜８のいずれか１項に記載の少くとも１基のガスタービン用燃焼器を備えたガスタービンエンジン。
【請求項１０】  請求項５に記載の少くとも１基のガスタービン用燃焼器を備えたガスタービンエンジンであって、
エンジン負荷が減少するにつれて前記燃焼チャンバーの前記可動部分を前記バーナーヘッドに接近する方向に移動させ、エンジン負荷が増大するにつれて該燃焼チャンバーの該可動部分を該バーナーヘッドから離れる方向に移動させるためのアクチュエータが設けられていることを特徴とするガスタービンエンジン。
【手続補正書】
【提出日】平成19年4月18日(2007.4.18)
【手続補正１】
【補正対象書類名】明細書
【補正対象項目名】特許請求の範囲
【補正方法】変更
【補正の内容】
【特許請求の範囲】
【請求項１】  タービンエンジン製品であって、
超合金基体と、
上記超合金基体の表面上に連続母材層を形成する結合剤によって上記超合金基体の表面に結合した合金からなる乱流発生材料であって、該乱流発生材料が上記結合剤の連続母材層中に埋め込まれていて、超合金基体の表面から突出して複数の突起を形成している乱流発生材料と
を含む製品。
【請求項２】  前記結合剤がろう合金からなる、請求項１記載の製品。
【請求項３】  前記合金がニッケル、コバルト、アルミニウム、クロム、ケイ素、鉄及び銅からなる群から選択される少なくとも１種の元素を含む、請求項１又は請求項２記載の製品。
【請求項４】  前記合金が式ＭＣｒＡｌＹ（式中、Ｍは鉄、ニッケル及びコバルトからなる群から選択される少なくとも１種の物質である）で表わされる組成を有する、請求項３記載の製品。
【請求項５】  前記超合金基体がニッケル基又はコバルト基超合金からなる、請求項１乃至請求項４のいずれか１項記載の製品。
【請求項６】  前記結合剤が、ニッケル、コバルト、鉄、貴金属及びそれらの混合物からなる群から選択される少なくとも１種の金属を含むろう合金からなる、請求項１記載の製品。
【請求項７】  前記ろう合金がその融点を低下させるための成分をさらに含む、請求項６記載の製品。
【請求項８】  前記乱流発生材料が１２５〜４０００ミクロンの範囲内の平均粒度を有する、請求項１乃至請求項７のいずれか１項記載の製品。
【請求項９】  当該製品が燃焼器ライナ、燃焼器ドーム、静翼、ノズル、動翼、シュラウド、羽根及びシュラウド隙間調節部品からなる群から選択される部品である、請求項１乃至請求項８のいずれか１項記載の製品。
【請求項１０】  前記タービンエンジン製品が超合金からなり、かつ燃焼器ライナ、燃焼器ドーム、静翼、ノズル、動翼、シュラウド及び羽根からなる群から選択される請求項９記載の製品。
【請求項１１】  前記タービンエンジン製品がシュラウド隙間調節部品である請求項９記載の製品。
【請求項１２】  前記シュラウド隙間調節部品がフランジ、ケーシング及びリングからなる群から選択される請求項１１記載の製品。
【請求項１３】  超合金基体の表面上に乱流発生構造を設ける方法であって、当該方法が、
超合金基体の表面上に、ろう合金と乱流発生材料からなる層を設ける工程と、
上記超合金基体の表面上に上記層を融着させ、もってろう合金を溶融して乱流発生材料を超合金基体に結合させる工程と
を含み、上記層が、（Ｉ）（ａ）ろう合金と結合剤とを含む未焼結ろう材テープ及び（ｂ）ろう合金箔からなる群から選択される自立ろう付けシートの表面に平均粒度１２５〜４０００ミクロンの乱流発生材料を表面に配したもの、又は（ＩＩ）平均粒度１２５〜４０００ミクロンの乱流発生材料とろう合金粉末とを含むスラリーを超合金基体の表面に塗布したものからなる、方法。
【請求項１４】  前記乱流発生材料がニッケル、コバルト、アルミニウム、クロム、ケイ素、鉄及び銅からなる群から選択される少なくとも１種の元素からなる、請求項１３記載の方法。
【請求項１５】  前記ろう合金が、ニッケル、コバルト、鉄、貴金属及びそれらの混合物からなる群から選択される少なくとも１種の金属を含む、請求項１３又は請求項１４記載の方法。
【請求項１６】  前記乱流発生材料が１８０〜２０５０ミクロンの範囲内の平均粒度を有する、請求項１３乃至請求項１５のいずれか１項記載の方法。
【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
モーターで駆動する駆動歯車が被駆動歯車に回転を伝えて被駆動歯車に取り付く車輪が回転して平地走行し、車輪が階段の蹴込みに当たって被駆動歯車の回転が停止したとき、駆動歯車が被駆動歯車の廻りを公転し、駆動歯車と被駆動歯車の回転軸を取り付けるプレートが車輪の回転軸を中心に回転する階段を昇段する車において、
車体を支持する車軸を車輪の回転軸に接続するのではなく、上記プレートの平地走行時の回転しない状態で最も低い位置の車輪外周内側の回転可能な接続軸に接続することにより、また上記プレートの平地走行時の回転しない状態で高い位置に取り付く回転軸に回転自在に軸支される連結棒を接続し、平地走行時に連結棒が自重で鉛直に吊り下げられる状態にして、
階段昇降時に車輪の回転軸を中心にして回転する上記プレートがクランクとして働き、クランクの円運動が上記連結棒を押し下げ、連結棒のプレートとの連結軸と反対側端部の接続軸に回転自在に軸支される脚を接続することにより、連結棒先端の脚を中心に回転する脚が接地した位置から移動しないようにして、車輪を浮き上がらせ、
上記プレートが階段昇段時に車輪の回転軸を中心に公転するとき上記車軸も車輪の回転軸を中心に公転して下段のステップ上の位置から上段のステップ上の位置へ移動するようにし、また上述の連結棒が車輪を持ち上げる補助により、上記車軸が上段のステップ上の位置へ移動した後、車輪回転軸が上段のステップ角部を中心に公転して上段に乗り上げ平坦走行の初期状態に戻る動作を繰り返して階段を昇段する車で、
駆動歯車の回転を継続したままで、上記プレートの公転と車輪の回転とが互いに他方が停止すれば一方が始動して、階段昇降動作と平地走行動作が交互に繰り返されて階段を昇段する車。
【請求項２】
車輪が階段の蹴込みに当たって被駆動歯車の回転が停止したとき、駆動歯車が被駆動歯車の廻りを公転する請求項１の階段を昇段する車において、車輪が階段の蹴込みに当たるとき被駆動歯車の回転を停止させるブレーキで、
車体に取り付くブレーキが車輪の回転を止めるのではなく、請求項１で上述した階段昇降動作において、車輪が上段のステップ角部を中心に１公転する間に１自転するように、車輪の昇段時に車輪とステップ角部の接点において滑りが生じないようにする請求項１の階段昇降車に取り付くブレーキで、
車輪の回転軸を回転自在に軸支されるアームを接続し、アーム先端の回転支点に回転自在に軸支される回転体が取り付き、アーム先端の回転支点を中央にして回転体の片側の端部には上段ステップ上に乗り上げるガイドローラーが取り付き、他端には被駆動歯車に接触して噛合い車輪の回転を止める爪が取り付く構造で、
車輪が階段の蹴込みに当たる昇段開始時には、上記ガイドローラーが上段ステップに引っ掛かる状態になって、上記爪が被駆動歯車に接触して噛合う方向に上記回転体が回転し、車輪が上段ステップ上に乗り上げる昇段終了時には、上記ガイドローラーが車輪に踏みつけられた状態になって、上記爪が被駆動歯車から離れる方向に上記回転体が回転して、平地走行状態に戻る動作をし、
車体にではなく、ステップ角部に固定されたブレーキが車輪の回転を止めることを特徴とする請求項１の階段昇降車のブレーキ。
【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
インク収納室と、インクを撹拌する撹拌部材と、前記撹拌部材を揺動自在に支持する支持部と、前記インク収納室内のインクを外部に供給可能なインク供給口と、を具えたインクタンクにおいて、
前記支持部は、前記撹拌部材を前記インク収納室の内壁に対して近接および離間する方向に揺動自在に支持し、
前記撹拌部材が前記インク収納室の内壁に最も近接したときに、前記撹拌部材と前記内壁とが対向する面の間に隙間を形成する規制部を備えることを特徴とするインクタンク。
【請求項２】
前記規制部は、前記撹拌部材と前記内壁とが対向するおのおのの面の、少なくとも一方に設けられた突起であることを特徴とする請求項１に記載のインクタンク。
【請求項３】
前記内壁の、前記撹拌部材と前記内壁とが対向する位置に、前記撹拌部材の少なくとも一部を収納する凹部を設けたことを特徴とする請求項１または２に記載のインクタンク。
【請求項４】
前記内壁に、前記撹拌部材と前記内壁との間に介在するインクの流れを導く溝部を設けたことを特徴とする請求項１から３のいずれかに記載のインクタンク。
【請求項５】
前記溝部は、前記支持部の方向にインクの流れを導くことを特徴とする請求項４に記載のインクタンク。
【請求項６】
前記溝部は、前記支持部の方向に向かうにしたがって断面積が小さくなることを特徴とする請求項５に記載のインクタンク。
【請求項７】
前記インク収納室が、インクを収納する可撓性部材と、前記可撓性部材を前記内壁から離間させる方向に付勢する付勢手段と、を備え
前記撹拌部材は、前記内壁と前記可撓性部材の間に位置し、前記支持部に支持されていることを特徴とする請求項１から６のいずれかに記載のインクタンク。
【請求項８】
前記可撓性部材と前記内壁は、前記インク収納室内におけるインク量の減少に伴って近接することを特徴とする請求項７に記載されたインクタンク。
【請求項９】
前記支持部は、前記撹拌部材の端部側に設けられた被支持部を支点として揺動自在に支持し、
前記撹拌部材の前記被支持部は、前記支持部に沿って移動可能であることを特徴とした請求項１から８のいずれかに記載のインクタンク。
【請求項１０】
前記インク収納室内に、顔料成分を含む顔料インクを収納してなることを特徴とする請求項１から９のいずれかに記載のインクタンク。
【請求項１１】
請求項１から１０のいずれかに記載のインクタンクを装着可能な装着部を備え、前記装着部に装着された前記インクタンクの前記インク供給口から供給されるインクを用いて、記録媒体上に画像を記録可能な記録装置において、
前記装着部に装着された前記インクタンクを往復移動させて、前記撹拌部材を慣性力により揺動させる移動手段を備えることを特徴とする記録装置。
【請求項１２】
前記移動手段によって往復移動可能なキャリッジを備え、
前記キャリッジは、前記装着部を備え、かつ前記インクタンクから供給されるインクを前記記録媒体に付与可能な記録ヘッドの装着が可能である
ことを特徴とする請求項１１に記載の記録装置。
【手続補正２】
【補正対象書類名】明細書
【補正対象項目名】００１７
【補正方法】変更
【補正の内容】
【００１７】
本発明のインクタンクは、インク収納室と、インクを撹拌する撹拌部材と、前記撹拌部材を揺動自在に支持する支持部と、前記インク収納室内のインクを外部に供給可能なインク供給口と、を具えたインクタンクにおいて、前記支持部は、前記撹拌部材を前記インク収納室の内壁に対して近接および離間する方向に揺動自在に支持し、前記撹拌部材が前記インク収納室の内壁に最も近接したときに、前記撹拌部材と前記内壁とが対向する面の間に隙間を形成する規制部を備えることを特徴とする。
【手続補正３】
【補正対象書類名】明細書
【補正対象項目名】００１８
【補正方法】変更
【補正の内容】
【００１８】
本発明の記録装置は、上記のインクタンクを装着可能な装着部を備え、前記装着部に装着された前記インクタンクの前記インク供給口から供給されるインクを用いて、記録媒体上に画像を記録可能な記録装置において、前記装着部に装着された前記インクタンクを往復移動させて、前記撹拌部材を慣性力により揺動させる移動手段を備えることを特徴とする。
【手続補正書】
【提出日】平成19年2月8日(2007.2.8)
【手続補正１】
【補正対象書類名】特許請求の範囲
【補正対象項目名】全文
【補正方法】変更
【補正の内容】
【特許請求の範囲】
【請求項１】
インクを供給して記録媒体に印字を記録するインクジェット記録装置に使用される弾性部材であって、ビニル芳香族化合物を主体とする重合体ブロックの少なくとも一つと、共役ジエン化合物を主体とする重合体ブロックの少なくとも一つからなる共重合体を含む材料から構成され、インクタンク弁又はインクタンクのシール部材として用いられることを特徴とするインクジェット記録装置用弾性部材。
【請求項２】
材料が、共重合体１００重量部に対して、ポリオレフィン樹脂０．１〜５０重量部及び軟化剤１〜５００重量部を配合した組成物から構成されていることを特徴とする請求項１記載のインクジェット記録装置用弾性部材。
【請求項３】
共重合体の数平均分子量が３００００以上であることを特徴とする請求項１又は２記載のインクジェット記録装置用弾性部材。
【請求項４】
ポリオレフィン樹脂が、シリコーンポリマーと化学的に結合したものであることを特徴とする請求項２又は３記載のインクジェット記録装置用弾性部材。
【請求項５】
インク室とインク供給部とを分割する位置に設けられ、かつ該インク室とインク供給部との圧力差により移動し、インク室に充填されたインクを記録ヘッド部に供給するインクタンク弁として用いられる請求項１〜４のいずれかに記載のインクジェット記録装置用弾性部材。
【請求項６】
インクタンクのインク供給口に設けられ、かつ該インク供給口からインクが洩れるのを防止するインクタンクのシール部材として用いられる請求項１〜４のいずれかに記載のインクジェット記録装置用弾性部材。
【請求項７】
インクが充填されるインク室と、記録ヘッド部にインクを供給するインク供給部とを有するインクタンクにおいて、請求項１〜６のいずれかに記載の弾性部材を用いたことを特徴とするインクタンク。
【請求項８】
請求項１〜６のいずれかに記載の弾性部材を用いたことを特徴とするインクジェット記録装置。
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
円筒形の本体及び屋根部からなる貯水タンクの屋根部の改修又は補修に際して、貯水空間を密閉保護するために本体内上部に架設する円形密閉シートの周縁部を本体内壁に密着させる密閉シート固定補助具であって、可撓性シート製の中空管の環状体よりなることを特徴とする密閉シート固定補助具。
【請求項２】
可撓性シート製の線状の中空管の一端を他端に挿入することにより環状体を形成してなる請求項１記載の密閉シート固定補助具。
【請求項３】
中空管の両端に面ファスナを有する請求項２記載の密閉シート固定補助具。
【請求項４】
請求項１〜３のいずれかに記載の密閉シート固定補助具を有する円形密閉シート。
【請求項５】
円筒形の本体及び屋根部からなる貯水タンクの屋根部の改修又は補修に際して、気体充填口付き中空環状体からなる密閉シート固定補助具を有する円形密閉シートを円筒形の本体内上部に架設する方法であって、該貯水タンクの屋根部に設けたマンホールから、気体充填口が端部に位置するように直線状に巻き込んだ円形密閉シートを先端部から貯水タンク内の水面上に送り出し、直線状に巻き込んだ円形密閉シートの端部の気体充填口から気体を送入して円形密閉シートの密閉シート固定補助具を環状体形状に膨脹させることによって、円形密閉シートを完全に開かせるとともに、円形密閉シートの周縁を環形状に膨脹した密閉シート固定補助具により貯水タンクの内壁に押し付けることを特徴とする円形密閉シートの架設方法。
【請求項６】
円筒形の本体及び屋根部からなる貯水タンクの屋根部の改修又は補修に際して、気体充填口付き中空環状体からなる密閉シート固定補助具を有する円形密閉シートを円筒形の本体内上部に架設する方法であって、貯水タンクの屋根部の対面する２ヵ所にマンホールを設け、２個の気体充填口が両端部に位置するように直線状に巻き込んだ円形密閉シートの一方の先端を、一方のマンホールから貯水タンク内に引き込んで、該マンホールと対面する他方のマンホールまで運んで、直線状に巻き込んだ円形密閉シート両端部に位置する気体充填口から気体を送入して円形密閉シートの密閉シート固定補助具を環形状に膨脹させる円形密閉シートの架設方法。
【請求項７】
円筒形の本体及び屋根部からなる貯水タンクの屋根部の改修又は補修に際して、気体充填口付き中空環状体からなる密閉シート固定補助具を有する円形密閉シートを円筒形の本体内上部に架設する方法であって、貯水タンクの屋根部の対面する２ヵ所にマンホールを設け、２個の気体充填口が両端部に位置するように直線状に巻き込んだ円形密閉シートの一方の先端部に引き込みロープを取り付け、該引き込みロープの先端を一方のマンホールから貯水タンク内に引き込んで、該マンホールと対面する他方のマンホールまで運んで、該引き込みロープの先端を他方のマンホールから引き出すことによって、直線状に巻きこんだ円形密閉シートを貯水タンクの中に引き込み、該直線状に巻きこんだ円形密閉シート両端の気体充填口から気体を送入して円形密閉シートの密閉シート固定補助具を環形状に膨脹させる円形密閉シートの架設方法。
【手続補正２】
【補正対象書類名】明細書
【補正対象項目名】発明の名称
【補正方法】変更
【補正の内容】
【発明の名称】密閉シート固定補助具、該固定補助具を有する密閉シート及び該密閉シートの架設方法
【手続補正３】
【補正対象書類名】明細書
【補正対象項目名】０００４
【補正方法】変更
【補正の内容】
【０００４】
本発明者らは、上記の課題を解決すべく鋭意研究を重ねた結果、密閉シートをタンク本体内壁に固定するアンカーボルトを密閉シート面よりも上方に設け、本体内壁の直径に等しい外径を有する可撓性シート製の中空管の環状体を密閉シート上に載置し、中空管内に気体を圧入して環状体を膨張させることにより、密閉シートの周縁部は本体内壁に押し付けられて隙間が生ずることがなく、さらに、可撓性シート製の線状の中空管の一端を他端に挿入して環状体を形成することにより、中空管の製造が容易になり、１本の中空管を用いて寸法の異なる多数の貯水タンクに使用し得る環状体を形成し得ることを見いだし、この知見に基づいて本発明を完成するに至った。
すなわち、本発明は、
（１）円筒形の本体及び屋根部からなる貯水タンクの屋根部の改修又は補修に際して、貯水空間を密閉保護するために本体内上部に架設する円形密閉シートの周縁部を本体内壁に密着させる密閉シート固定補助具であって、可撓性シート製の中空管の環状体よりなることを特徴とする密閉シート固定補助具、
（２）可撓性シート製の線状の中空管の一端を他端に挿入することにより環状体を形成してなる(１)記載の密閉シート固定補助具、
（３）中空管の両端に面ファスナを有する請求項２記載の密閉シート固定補助具、
（４）(１)〜(３)のいずれかに記載の密閉シート固定補助具を有する円形密閉シート、
（５）円筒形の本体及び屋根部からなる貯水タンクの屋根部の改修又は補修に際して、気体充填口付き中空環状体からなる密閉シート固定補助具を有する円形密閉シートを円筒形の本体内上部に架設する方法であって、該貯水タンクの屋根部に設けたマンホールから、気体充填口が端部に位置するように直線状に巻き込んだ円形密閉シートを先端部から貯水タンク内の水面上に送り出し、直線状に巻き込んだ円形密閉シートの端部の気体充填口から気体を送入して円形密閉シートの密閉シート固定補助具を環状体形状に膨脹させることによって、円形密閉シートを完全に開かせるとともに、円形密閉シートの周縁を環形状に膨脹した密閉シート固定補助具により貯水タンクの内壁に押し付けることを特徴とする円形密閉シートの架設方法、
（６）円筒形の本体及び屋根部からなる貯水タンクの屋根部の改修又は補修に際して、気体充填口付き中空環状体からなる密閉シート固定補助具を有する円形密閉シートを円筒形の本体内上部に架設する方法であって、貯水タンクの屋根部の対面する２ヵ所にマンホールを設け、２個の気体充填口が両端部に位置するように直線状に巻き込んだ円形密閉シートの一方の先端を、一方のマンホールから貯水タンク内に引き込んで、該マンホールと対面する他方のマンホールまで運んで、直線状に巻き込んだ円形密閉シート両端部に位置する気体充填口から気体を送入して円形密閉シートの密閉シート固定補助具を環形状に膨脹させる円形密閉シートの架設方法、及び、
（７）円筒形の本体及び屋根部からなる貯水タンクの屋根部の改修又は補修に際して、気体充填口付き中空環状体からなる密閉シート固定補助具を有する円形密閉シートを円筒形の本体内上部に架設する方法であって、貯水タンクの屋根部の対面する２ヵ所にマンホールを設け、２個の気体充填口が両端部に位置するように直線状に巻き込んだ円形密閉シートの一方の先端部に引き込みロープを取り付け、該引き込みロープの先端を一方のマンホールから貯水タンク内に引き込んで、該マンホールと対面する他方のマンホールまで運んで、該引き込みロープの先端を他方のマンホールから引き出すことによって、直線状に巻きこんだ円形密閉シートを貯水タンクの中に引き込み、該直線状に巻きこんだ円形密閉シート両端の気体充填口から気体を送入して円形密閉シートの密閉シート固定補助具を環形状に膨脹させる円形密閉シートの架設方法、
を提供するものである。
【手続補正書】
【提出日】平成19年10月31日(2007.10.31)
【手続補正１】
【補正対象書類名】特許請求の範囲
【補正対象項目名】請求項１
【補正方法】変更
【補正の内容】
【請求項１】
頭部から先端面に向けて徐々に外径が拡径される拡径状の衝撃塑性加工処理用工具において、
上記先端面は曲面からなること
を特徴とする疲労強度向上に優れた金属の衝撃塑性加工処理用工具。
【手続補正２】
【補正対象書類名】明細書
【補正対象項目名】００１７
【補正方法】変更
【補正の内容】
【００１７】
（１）頭部から先端面に向けて徐々に外径が拡径される拡径状の衝撃塑性加工処理用工具において、上記先端面は曲面からなることを特徴とする疲労強度向上に優れた金属の衝撃塑性加工処理用工具、
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
透気性の支持体上に少なくとも下層と上層を設け、キャスト処理をして製造されてなるインクジェット記録媒体において、下層が吸水性無機顔料、ラテックス、ホウ酸またはその塩を含有する塗工組成物から形成され、かつ上層がサブミクロン顔料、ポリビニルアルコールを含有する塗工組成物から形成されることを特徴とするインクジェット記録媒体。
【請求項２】
下層塗工組成物が、コロイダルシリカを含有することを特徴とする請求項１記載のインクジェット記録媒体。
【手続補正書】
【提出日】平成19年2月19日(2007.2.19)
【手続補正１】
【補正対象書類名】特許請求の範囲
【補正対象項目名】請求項１
【補正方法】変更
【補正の内容】
【請求項１】
遊技球を検出可能な作動手段（１７ａ）〜（１７ｃ）と、該作動手段（１７ａ）〜（１７ｃ）が遊技球を検出することを条件に遊技球が入賞可能な状態に開放若しくは拡大する可変手段（２０）と、該可変手段（２０）を介して入賞した遊技球を外周面若しくはその近傍に設けた遊技球保持手段（６９）（６９′）で保持しつつ所定方向へ誘導する回転ドラム（２１）と、該回転ドラム（２１）により誘導された遊技球が特定領域（２２ａ）を通過することを条件に遊技者に有利な特別遊技状態を発生させる特別遊技状態発生手段（９５）とを備えた弾球遊技機において、前記遊技球保持手段（６９）を固定的に備え且つ前記回転ドラム（２１）と共に回転する遊技球保持ドラム（５７）を、前記回転ドラム（２１）の軸方向に移動可能な状態で前記回転ドラム（２１）の内周側に配置し、保持ドラム駆動手段（５８）により前記遊技球保持ドラム（５７）を前記回転ドラム（２１）の軸方向に移動させることにより、前記遊技球保持手段（６９）による遊技球の保持位置を変化可能に構成したことを特徴とする弾球遊技機。
【手続補正２】
【補正対象書類名】明細書
【補正対象項目名】０００７
【補正方法】変更
【補正の内容】
【０００７】
本発明は、遊技球を検出可能な作動手段１７ａ〜１７ｃと、該作動手段１７ａ〜１７ｃが遊技球を検出することを条件に遊技球が入賞可能な状態に開放若しくは拡大する可変手段２０と、該可変手段２０を介して入賞した遊技球を外周面若しくはその近傍に設けた遊技球保持手段６９，６９′で保持しつつ所定方向へ誘導する回転ドラム２１と、該回転ドラム２１により誘導された遊技球が特定領域２２ａを通過することを条件に遊技者に有利な特別遊技状態を発生させる特別遊技状態発生手段９５とを備えた弾球遊技機において、前記遊技球保持手段６９を固定的に備え且つ前記回転ドラム２１と共に回転する遊技球保持ドラム５７を、前記回転ドラム２１の軸方向に移動可能な状態で前記回転ドラム２１の内周側に配置し、保持ドラム駆動手段５８により前記遊技球保持ドラム５７を前記回転ドラム２１の軸方向に移動させることにより、前記遊技球保持手段６９による遊技球の保持位置を変化可能に構成したものである。
【手続補正３】
【補正対象書類名】明細書
【補正対象項目名】０００８
【補正方法】変更
【補正の内容】
【０００８】
本発明では、遊技球を検出可能な作動手段１７ａ〜１７ｃと、該作動手段１７ａ〜１７ｃが遊技球を検出することを条件に遊技球が入賞可能な状態に開放若しくは拡大する可変手段２０と、該可変手段２０を介して入賞した遊技球を外周面若しくはその近傍に設けた遊技球保持手段６９，６９′で保持しつつ所定方向へ誘導する回転ドラム２１と、該回転ドラム２１により誘導された遊技球が特定領域２２ａを通過することを条件に遊技者に有利な特別遊技状態を発生させる特別遊技状態発生手段９５とを備えた弾球遊技機において、遊技球保持手段６９を固定的に備え且つ回転ドラム２１と共に回転する遊技球保持ドラム５７を、回転ドラム２１の軸方向に移動可能な状態で回転ドラム２１の内周側に配置し、保持ドラム駆動手段５８により遊技球保持ドラム５７を回転ドラム２１の軸方向に移動させることにより、遊技球保持手段６９による遊技球の保持位置を変化可能に構成しているため、回転ドラム２１による遊技球の誘導動作が変化に富み、興趣が増大して遊技者が飽きることなく長く遊技を楽しむことができる。
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
照明光を供給する放電式の光源部と、
前記光源部の点灯状態を検出する点灯検出部と、
前記照明光を画像信号に応じて変調する光変調素子と、
前記光変調素子が動作するときの動作条件、または、前記光変調素子により生成される画像に影響を与える前記画像信号の処理条件についての所定のデータを設定するデータ設定部と、
前記データ設定部に設定された前記所定のデータに基づいて、前記光変調素子を所定の動作条件で動作させる、または、前記光変調素子に送られる前記画像信号に所定の処理条件で処理を施す、動作処理部と、
前記所定のデータを記憶する記憶部と、
前記光源部と、前記データ設定部と、前記動作処理部と、前記記憶部を制御する制御部と、を備え、
前記制御部は、前記点灯検出部からの検出信号により前記光源部の点灯を検出すると、前記記憶部から前記所定のデータを読み出し、前記データ設定部に設定することを特徴とするプロジェクタ。
【請求項２】
前記動作処理部は、前記光変調素子に所定の対向電極電圧を供給する信号生成部であり、前記データ設定部は、前記信号生成部内に設けられたレジスタであって、
前記記憶部は、前記所定のデータとして所定の対向電極電圧の設定値を記憶し、
前記制御部は、前記点灯検出部からの検出信号により前記光源部の点灯を検出すると、前記記憶部から前記所定の対向電極電圧の設定値を読み出し、前記信号生成部のレジスタに設定することを特徴とする請求項１記載のプロジェクタ。
【請求項３】
前記動作処理部は、前記光変調素子に送られる前記画像信号に所定の処理条件で処理を施す画像信号処理部であり、前記データ設定部は、前記画像信号処理部内に設けられたレジスタであって、
前記記憶部は、前記画像信号に施す処理条件についての所定のデータを記憶し、
前記制御部は、前記点灯検出部からの検出信号により前記光源部の点灯を検出すると、前記記憶部から前記画像信号に施す処理条件についての所定のデータを読み出し、前記画像信号処理部のレジスタに設定することを特徴とする請求項１記載のプロジェクタ。
【請求項４】
さらに、前記制御部は、前記点灯検出部からの検出信号により前記光源部の点灯を検出すると、前記画像信号処理部の初期化を行い、初期化が完了してから、前記画像信号処理部のレジスタに、前記記憶部から読み出した前記画像信号に施す処理条件についての所定のデータを設定することを特徴とする請求項３記載のプロジェクタ。
【請求項５】
制御部は、前記光源部が点灯する前においても、前記所定のデータを前記記憶部から読み出し、前記データ設定部に設定することを特徴とする請求項１〜４のいずれか１項に記載のプロジェクタ。
【請求項６】
照明光を供給する放電式の光源部と、前記照明光を画像信号に応じて変調する光変調素子と、前記光変調素子が動作するときの動作条件、または、前記光変調素子により生成される画像に影響を与える前記画像信号の処理条件についてのデータを設定するデータ設定部と、前記所定のデータを記憶する記憶部とを備えるプロジェクタの制御方法であって、前記光源部の点灯状態を検出する点灯検出工程と、前記点灯検出工程において前記光源部の点灯が検出されると、前記所定のデータを記憶部より読み出し、データ設定部に設定するデータ設定工程とを含むことを特徴とするプロジェクタの制御方法。
【手続補正２】
【補正対象書類名】明細書
【補正対象項目名】０００９
【補正方法】変更
【補正の内容】
【０００９】
前記目的を達成するために、本発明のプロジェクタは、照明光を供給する放電式の光源部と、光源部の点灯状態を検出する点灯検出部と、照明光を画像信号に応じて変調する光変調素子と、光変調素子が動作するときの動作条件、または、光変調素子により生成される画像に影響を与える画像信号の処理条件についての所定のデータを設定するデータ設定部と、データ設定部に設定された所定のデータに基づいて、光変調素子を所定の動作条件で動作させる、または、光変調素子に送られる画像信号に所定の処理条件で処理を施す、動作処理部と、所定のデータを記憶する記憶部と、光源部と、データ設定部と、動作処理部と、記憶部を制御する制御部と、を備え、制御部は、点灯検出部からの検出信号により光源部の点灯を検出すると、記憶部から所定のデータを読み出し、データ設定部に設定することを特徴とする。
【手続補正書】
【提出日】平成19年6月12日(2007.6.12)
【手続補正１】
【補正対象書類名】明細書
【補正対象項目名】００３６
【補正方法】変更
【補正の内容】
【００３６】
比較例のうち四角形をステージ部材の長手方向に対して45°傾けて配置した場合（比較例１）は、ねじれ変形に対して空隙を形成している壁が45°に配置されており、変形に対して抵抗力が少ない。また、その他の空隙形状（比較例２〜７）においては、空隙形状の面積が実施例に対して大きく、抵抗力の発現効果が少ない。
【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
軸芯体と、該軸芯体の外周面に設けられた弾性体層を含む二つ以上の層と、を有する現像ローラであって、
最外層としての表層が、主成分としてウレタン樹脂を含む樹脂層からなり、かつ、該樹脂層の樹脂成分中に糖アルコールまたは該糖アルコールに由来する成分を０．０５０〜５．０質量％含有することを特徴とする現像ローラ。
【請求項２】
前記樹脂層が、ポリオール化合物と、イソシアネート化合物と、前記糖アルコールとを含む塗料の被膜を硬化させたものである請求項１に記載の現像ローラ。
【請求項３】
前記糖アルコールは、キシリトール及びＤ−マンニトールの少なくとも１種である請求項１または２に記載の現像ローラ。
【請求項４】
前記樹脂層の層厚は、３〜１００μｍの範囲に選択されている請求項１乃至３のいずれかに記載の現像ローラ。
【請求項５】
電子写真方式による静電潜像を形成するための潜像担持体と、現像剤を担持しつつ該潜像担持体の表面に対向して当接もしくは圧接した状態で、前記現像剤を該潜像担持体に形成された静電潜像に供給して該静電潜像を現像するための現像ローラと、を有する現像装置であって、
前記現像ローラが請求項１乃至４のいずれかに記載の現像ローラである
ことを特徴とする現像装置。
【請求項６】
電子写真方式による静電潜像を形成し得る潜像担持体と、該潜像担持体を静電潜像形成のために帯電させるための帯電装置と、該潜像担持体の帯電領域に静電潜像を形成するための静電潜像形成装置と、該静電潜像が形成された該潜像担持体の領域に現像剤を付着させて該静電潜像を顕像化させて画像を得るための現像装置と、該現像剤からなる画像を転写紙に転写するための転写装置と、を有する画像形成装置において、
前記現像装置が、請求項５に記載の現像装置であることを特徴とする画像形成装置。
【手続補正２】
【補正対象書類名】明細書
【補正対象項目名】発明の名称
【補正方法】変更
【補正の内容】
【発明の名称】現像ローラ及びそれを用いた画像形成装置
【手続補正３】
【補正対象書類名】明細書
【補正対象項目名】０００１
【補正方法】変更
【補正の内容】
【０００１】
本発明は、現像ローラに関し、より具体的には、例えば、複写機、プリンタ、ファクシミリ等の受信装置など、画像形成に電子写真方式を採用した装置（以降、電子写真装置と総称する）において主に使用される現像ローラ、並びに、その現像ローラを用いた現像装置及び画像形成装置に関する。
【手続補正４】
【補正対象書類名】明細書
【補正対象項目名】００１１
【補正方法】変更
【補正の内容】
【００１１】
本発明はこのような電子写真装置に用いる弾性ローラにおける課題を解決することを目的とするものである。特に、本発明の目的は、ウレタン樹脂を含む樹脂層を表層とする現像ローラとして好適な弾性ローラにおいて、付着性を低減し、被膜の強度を向上し優れた耐久性を持つ樹脂表層を採用する弾性ローラを提供することにある。また、その弾性ローラを現像ローラとし用いた現像装置や画像形成装置を提供することにある。
【手続補正５】
【補正対象書類名】明細書
【補正対象項目名】００１４
【補正方法】変更
【補正の内容】
【００１４】
すなわち、本発明の現像ローラは、軸芯体と、該軸芯体の外周面に設けられた弾性体層を含む二つ以上の層と、を有する現像ローラであって、最外層としての表層が、主成分としてウレタン樹脂を含む樹脂層からなり、かつ、該樹脂層の樹脂成分中に糖アルコールまたは該糖アルコールに由来する成分を０．０５０〜５．０質量％含有することを特徴とする現像ローラである。
【手続補正６】
【補正対象書類名】明細書
【補正対象項目名】００１５
【補正方法】変更
【補正の内容】
【００１５】
本発明にかかる現像装置は、電子写真方式による静電潜像を形成するための潜像担持体と、現像剤を担持しつつ該潜像担持体の表面に対向して当接もしくは圧接した状態で、前記現像剤を該潜像担持体に形成された静電潜像に供給して該静電潜像を現像するための現像ローラと、を有する現像装置であって、前記現像ローラが、上記構成の現像ローラであることを特徴とする現像装置である。
【手続補正７】
【補正対象書類名】明細書
【補正対象項目名】００１６
【補正方法】変更
【補正の内容】
【００１６】
更に、本発明の画像形成装置は、電子写真方式による静電潜像を形成し得る潜像担持体と、該潜像担持体を静電潜像形成のために帯電させるための帯電装置と、該潜像担持体の帯電領域に静電潜像を形成するための静電潜像形成装置と、該静電潜像が形成された該潜像担持体の領域に現像剤を付着させて該静電潜像を顕像化させて画像を得るための現像装置と、該現像剤からなる画像を転写紙に転写するための転写装置と、を有する画像形成装置において、前記現像装置が、上記構成の現像装置であることを特徴とする画像形成装置である。
【手続補正８】
【補正対象書類名】明細書
【補正対象項目名】００１７
【補正方法】変更
【補正の内容】
【００１７】
本発明にかかる現像ローラとして用いられる弾性ローラにおいては、ローラ表面を構成する表層に、主成分としてウレタン樹脂を用い、樹脂成分中に糖アルコールまたは糖アルコール由来の構成を０．０５０〜５．０質量％含有することにより、ローラ表面での付着性を低減かつ被膜の強度を向上し、優れた耐久性を持つ弾性ローラとしたものである。また、本発明の弾性ローラは、現像ローラのみでなく、電子写真装置において、潜像担持体としての感光体などと当接する形態で使用される、帯電ローラ、転写ローラ、さらには、加圧ローラに適用した際にも、適切なニップ幅、表面状態の持続性が安定して得られ、当初の良好な品質を長期にわたり保持することに優れた弾性ローラが簡便に得られる。
【手続補正９】
【補正対象書類名】明細書
【補正対象項目名】００２２
【補正方法】変更
【補正の内容】
【００２２】
図１と図２に、本発明の現像ローラとしての弾性ローラに関する構造の一例を模式的に図示する。図１、２に例示の弾性ローラ１は、中心に軸芯体として、通常、金属などの導電性材料で形成される軸芯金１１を有し、ローラ層として、軸芯金１１の外周面上に弾性体層（基層）１２が固定され、この弾性体層１２の外周面に樹脂層（表層）１３を積層した構造を有する。ここでは、上記のような軸芯体の外周面に二層で構成されてなる弾性ローラで説明する。
【手続補正１０】
【補正対象書類名】明細書
【補正対象項目名】００７２
【補正方法】変更
【補正の内容】
【００７２】
【図１】本発明の現像ローラとしての弾性ローラの全体構成の一例を模式的に示す図ある。
【図２】本発明の現像ローラとしての弾性ローラにおける、ローラ層の二層構造を模式的に示す断面図ある。
【手続補正書】
【提出日】平成19年6月13日(2007.6.13)
【手続補正１】
【補正対象書類名】特許請求の範囲
【補正対象項目名】請求項４
【補正方法】変更
【補正の内容】
【請求項４】
前記熱可塑性樹脂がポリエステル樹脂であることを特徴とする請求項１から請求項３の何れかに記載の遮光羽根。
【手続補正書】
【提出日】平成19年6月4日(2007.6.4)
【手続補正１】
【補正対象書類名】特許請求の範囲
【補正対象項目名】請求項１
【補正方法】変更
【補正の内容】
【請求項１】
シートの一方の面にトナー像を転写した後、このシートの他方の面にトナー像を転写する転写装置を備えた、シートの両面にトナー像を形成する画像形成装置において、前記転写装置は、トナー像を担持した前記一方の面に対向して開口を有するコロナハウスと、前記コロナハウス内に張架されたコロナワイヤとを含み、更に、前記シートの一方の面に風を送る送風手段とを有し、前記コロナハウスは、底部に通風用の開口を有し、前記送風手段は、前記開口を介して、前記シートの一方の面側に風を送ることを特徴とする画像形成装置。
【手続補正２】
【補正対象書類名】特許請求の範囲
【補正対象項目名】請求項３
【補正方法】変更
【補正の内容】
【請求項３】
前記コロナワイヤと対応する前記底部の部位は、前記コロナワイヤに風があたらないように遮風部が設けられていることを特徴とする請求項１または２記載の画像形成装置。
【手続補正３】
【補正対象書類名】特許請求の範囲
【補正対象項目名】請求項４
【補正方法】変更
【補正の内容】
【請求項４】
前記ファンの風速は、約０．５ｍ／Ｓｅｃ〜２ｍ／Ｓｅｃの範囲であることを特徴とする請求項２または３記載の画像形成装置。  
【手続補正４】
【補正対象書類名】明細書
【補正対象項目名】０００６
【補正方法】変更
【補正の内容】
【０００６】
上記課題を解決するために、本発明は、シートの一方の面にトナー像を転写した後、このシートの他方の面にトナー像を転写する転写装置を備えた、シートの両面にトナー像を形成する画像形成装置において、前記転写装置は、トナー像を担持した前記一方の面に対向して開口を有するコロナハウスと、前記コロナハウス内に張架されたコロナワイヤとを含み、更に、前記シートの一方の面に風を送る送風手段とを有し、前記コロナハウスは、底部に通風用の開口を有し、前記送風手段は、前記開口を介して、前記シートの一方の面側に風を送ることを特徴とする。
【手続補正書】
【提出日】平成18年12月5日(2006.12.5)
【手続補正１】
【補正対象書類名】明細書
【補正対象項目名】０１１１
【補正方法】変更
【補正の内容】
【０１１１】
（比較例１）
実施例１で調製した樹脂塗工液を発泡させずに、基材に塗工し熱可塑性樹脂層を形成し、坪量１６７ｇ／ｍ2の電子写真用転写紙を得た。基材および熱可塑性発泡樹脂層の諸特性を表２に示す。
【手続補正２】
【補正対象書類名】明細書
【補正対象項目名】０１１２
【補正方法】変更
【補正の内容】
【０１１２】
（比較例２）
実施例３で使用した基材に実施例６で用いた樹脂塗工液を塗工し、攪拌条件、発泡倍率を変更して坪量１６７ｇ／ｍ2の電子写真用転写紙を得た。基材および熱可塑性発泡樹脂層の諸特性を表２に示す。
【手続補正３】
【補正対象書類名】明細書
【補正対象項目名】０１１３
【補正方法】変更
【補正の内容】
【０１１３】
（比較例３）
実施例４で使用した基材の片面に気泡を含有させた下記組成の樹脂塗工液を用い、実施例１と同様にして坪量１６７ｇ／ｍ2の電子写真用転写紙を得た。基材および熱可塑性発泡樹脂層の諸特性を表２に示す。
【手続補正４】
【補正対象書類名】明細書
【補正対象項目名】０１１５
【補正方法】変更
【補正の内容】
【０１１５】
（比較例４）
気泡を含有させた下記組成の樹脂塗工液を用い、塗工量を１ｇ／ｍ2とする以外は実施例１と同様にして坪量１５８ｇ／ｍ2の電子写真用転写紙を得た。基材および熱可塑性発泡樹脂層の諸特性を表２に示す。 
【手続補正５】
【補正対象書類名】明細書
【補正対象項目名】０１１７
【補正方法】変更
【補正の内容】
【０１１７】
（比較例５）
気泡を含有させた下記組成の樹脂塗工液を用い、塗工量を４５ｇ／ｍ2にする以外は実施例１と同様にして坪量２０２ｇ／ｍ2の電子写真用転写紙を得た。基材および熱可塑性発泡樹脂層の諸特性を表２に示す。 
【手続補正６】
【補正対象書類名】明細書
【補正対象項目名】０１１９
【補正方法】変更
【補正の内容】
【０１１９】
（比較例６）
気泡を含有させた下記組成の樹脂塗工液を用いる以外は実施例１と同様にして坪量１６７ｇ／ｍ2の電子写真用転写紙を得た。基材および熱可塑性発泡樹脂層の諸特性を表２に示す。
【手続補正書】
【提出日】平成19年6月18日(2007.6.18)
【手続補正１】
【補正対象書類名】特許請求の範囲
【補正対象項目名】請求項１
【補正方法】変更
【補正の内容】
【請求項１】
静電潜像担持体上に形成された潜像を現像するための現像剤担持体であって、少なくとも基体及び基体表面に形成された樹脂層を有し、該樹脂層に用いられている結着樹脂に、少なくとも化学式（１）：
【化１】
2006003709.tif 000001
（式中、Ｒは−Ａ１−（ＳＯ２Ｒ１）ｘを表す。Ｒ１はＯＨ、ハロゲン原子、ＯＮａ、ＯＫ、ＯＲ１ａである。Ｒ１ａ、Ａ１は置換または未置換の脂肪族炭化水素構造、置換または未置換の芳香族環構造、置換または未置換の複素環構造を表す。また、ｍ、ｘは１〜８から選ばれた整数である。複数のユニットが存在する場合、Ｒ、Ｒ１、Ｒ１ａ、Ａ１、ｍ、ｘは、各ユニット毎に独立して上記の意味を表す。）
に示すユニットを分子中に１ユニット以上含むことを特徴とするポリヒドロキシアルカノエートが含有されていることを特徴とする現像剤担持体。